(57)【要約】  【課題】  カメラ付携帯電話機やＰＤＡ等において、従来のようにＣＰＵが自然画像データの転送処理を行うことなく、自然画像データと人工画像データの２種類の画像データを効率良く画像表示手段に転送できるようにした画像表示装置を提供する。  【解決手段】  自然画像データ生成手段１０１は、自然画像データの１画面分のデータサイズより小さい所定サイズの部分データを生成すると共に逐次、間欠的に画像表示手段１０４宛てに送り出し、データ転送調停手段１０３は、自然画像データ生成手段１０１から逐次送り出されてくる部分データを逐次受けて画像表示手段１０４に転送しつつ、当該部分データの転送を行っていない間に、人工画像データ生成手段１０２により生成された人工画像データを画像表示手段１０４に転送する。【選択図】  図１
2005167350.tif 000002
【特許請求の範囲】
【請求項１】
第１画像データを生成する第１生成手段と、第２画像データを生成する第２生成手段と、生成された第１画像データ及び第２画像データを合成して表示する画像表示手段とを備える画像表示装置であって、
前記第１生成手段は、前記第１画像データの一部である、１画面分のデータサイズより小さい所定サイズの部分データを生成すると共に当該部分データを逐次、間欠的に前記画像表示手段宛てに送り出し、
前記第１生成手段から逐次送り出されてくる部分データを逐次受けて、前記画像表示手段に転送しつつ、当該部分データを転送していない時間に、前記第２生成手段により生成された第２画像データを受けて、当該画像表示手段に転送する転送調停手段を備える
ことを特徴とする画像表示装置。
【請求項２】
前記第１生成手段は、
生成した前記部分データを格納する、所定サイズのバッファと、
前記バッファに部分前記データが格納され次第、当該部分データを、当該バッファへのデータの入力速度より速い速度で、前記画像表示手段宛てに送り出す制御を行うバッファ制御手段とを備える
ことを特徴とする請求項１記載の画像表示装置。
【請求項３】
前記転送調停手段は、前記第１生成手段から前記画像表示手段に前記部分データの転送を行っているときに、前記第２画像データ生成手段から第２画像データの転送が要求された場合、当該第２画像データ生成手段に転送を待たせる指示を示すウェイト信号を出力することを特徴とする請求項２に記載の画像表示装置。
【請求項４】
前記転送調停手段は、更に、前記ウェイト信号と共に、前記部分データの転送が頻繁に行われる期間と殆ど行われない期間を指示する転送頻度信号を出力することを特徴とする請求項３に記載の画像表示装置。
【請求項５】
前記第１画像データ生成手段は、第１画像データの生成速度を調節する第１画像データ生成速度調節手段を備えることを特徴とする請求項４に記載の画像表示装置。
【請求項６】
前記転送調停手段は、
前記第１画像データ生成手段から出力された第１画像データと前記第２画像データ生成手段から出力された第２画像データの転送の調停を行う調停手段と、
前記第１前記画像表示手段への画像データの転送方法を切り替えるプロトコル設定手段とを備える
ことを特徴とする請求項５に記載の画像表示装置。
【請求項７】
前記画像表示手段は、前記転送調停生成手段に対して、前記第１画像データ及び前記第２画像データの転送を一時停止することを指示するウェイト信号を出力し、
前記転送調停手段は、
前記ウェイト信号に基づいて、前記画像表示手段への前記第１画像データ及び前記第２画像データの転送を一時停止するデータ転送制御手段と、
前記画像表示手段へのデータの転送速度を監視するデータ転送速度計測手段とを備え、
前記第１画像データ生成速度調節手段は、前記データ転送速度計測手段からの信号に基づいて、第１画像データ生成速度を調節する
ことを特徴とする請求項５又は６に記載の画像表示装置。
【請求項８】
前記第１画像データ生成手段は、レンズを介して結像された光学像を電気信号に変換するイメージセンサと、
イメージセンサを駆動するイメージセンサ駆動部と、
イメージセンサの信号を処理して第１画像データを生成する画像処理部とを備える
ことを特徴とする請求項１〜７のうちいずれか１項に記載の画像表示装置。
【請求項９】
前記画像表示手段は、所定の命令を受けることにより所定の画像を自動的に生成する画像生成手段を備えることを特徴とする請求項１〜８のうちいずれか１項に記載の画像表示装置。
【請求項１０】
前記第２画像データ生成手段は、
生成した前記第２画像データを前記画像表示手段に転送する転送手段と、
前記画像表示手段に所定の画像を生成させるための命令を発行する発行手段と
を備えることを特徴とする請求項１〜９のうちいずれか１項に記載の画像表示装置。
【請求項１１】
前記第１画像データ生成手段と前記転送調停手段を１つの半導体チップで形成したことを特徴とする請求項１〜１０のうちいずれか１項に記載の画像表示装置。
【請求項１２】
前記第１画像データは、静止画又は動画である自然画像データであり、
前記第２画像データは、文字データ又は図形データである人工画像データであり、
前記画像表示手段は自然画像データと人工画像データを合成する合成手段を備える
ことを特徴とする請求項１〜１１のうちいずれか１項に記載の画像表示装置。
【請求項１３】
第１画像データを生成する第１生成手段と、第２画像データを生成する第２生成手段と、生成された第１画像データ及び第２画像データを合成して表示する画像表示手段とを備えた画像表示装置に用いられる画像データ転送方法であって、
前記第１生成手段は、前記第１画像データの一部である、１画面分のデータサイズより小さい所定サイズの部分データを生成すると共に当該部分データを逐次、間欠的に前記画像表示手段宛てに送り出すステップと、
前記第１生成手段から逐次送り出されてくる部分データを逐次受けて、前記画像表示手段に転送しつつ、当該部分データを転送していない時間に、前記第２生成手段により生成された第２画像データを受けて、当該画像表示手段に転送するステップとを含む
ことを特徴とする画像データ転送方法。
【発明の詳細な説明】
【技術分野】
【０００１】
本発明は、携帯電話機やＰＤＡ等に搭載される、２つの異なる画像データを合成して表示する画像表示装置に関する。
【背景技術】
【０００２】
近年、カメラ付携帯電話機が、携帯電話機の主力商品となっている。
ここで、従来のカメラ付き携帯電話機に搭載されている表示システムの構成について説明する。
図１２は、従来のカメラ付き携帯電話機に搭載されている表示システムの機能構成の一例を示す図であり、同図の構成は特許文献１又は非特許文献１に基づいている。
【０００３】
図１２に示す表示システムは、撮像手段１４０１、液晶表示装置等の画像表示手段１４０２、携帯電話全体を制御するＣＰＵ１４０３等で構成される。
なお、通信機能部分については図示及び説明を省略する。
撮像手段１４０１は、光学像を結像するレンズ１４０４と結像された光学像を電気信号に変換するイメージセンサ１４０５と、イメージセンサの信号を処理して所定の画像データを生成する信号処理部１４０６と、生成された画像データを１画面分格納する画像メモリ１４０７とから構成される。
【０００４】
次に、この表示システムの撮影動作を説明する。
撮影者の操作により表示システムが撮影モードに切り替わると、撮像手段１４０１は動作を開始して画像データを生成し、画像表示手段１４０２に生成された画像データを逐次送り出す。
画像表示手段１４０２は、逐次送られてきた画像データを画面表示する。このとき表示される画像はモニタ画像と呼び、撮影対象を確認するための画像であり、動画である。
【０００５】
その後、撮影者がシャッターボタン（図示せず）を押下することにより撮像手段１４０１で生成された画像データが保存用のメモリ（図示せず）に記録される。
ここで、モニタ画像が表示されるまでの流れについて簡単に説明する。
まず、撮像手段１４０１内に設けられたレンズ１４０４により結像された光学像を、イメージセンサ１４０５は光電変換して電気信号に変換する。
【０００６】
この電気信号は、信号処理部１４０６において所定のフォーマット（Ｙ／ＣもしくはＲＧＢ）の画像データ（以下、自然画像データと呼ぶ。）に変換され、自然画像データの、少なくとも１画面分のデータが画像メモリ１４０７に格納される。
ＣＰＵ１４０３は、画像メモリ１４０７に格納された自然画像データを画像表示手段１４０２に転送する処理を行いつつ、文字、図形等の画像データ（これらを以下、人工画像データと呼ぶ。）を生成して画像表示手段１４０２に送ったり、画像表示手段１４０２に画像描画命令等の発行処理を行なう。
【０００７】
画像表示手段１４０２は画像描画命令により所定の図形等を描く機能やカメラの画像と文字・図形等との合成機能を持っており、送られてきた自然画像データ及び人工画像データを合成して、画面に表示する。
【特許文献１】特開２０００−２４４６７３号公報
【非特許文献１】セイコーエプソン（株）Ｓ１Ｄ１３７０６シリーズテクニカルマニュアル    Ｐ．１−４〜１−７
【発明の開示】
【発明が解決しようとする課題】
【０００８】
ところで、図１２に示したような従来の表示システムは、ＣＰＵ１４０３が撮像手段１４０１により生成された自然画像データの転送処理を他の処理と並行して行うため、高速転送が難しく高品位な動画の表示が困難であった。並行して行われる処理としては、例えば、自然画像データと共に画面表示する人工画像データの生成及び送出が挙げられる。
また、自然画像データの転送中はＣＰＵバスが占有されるため、他の処理が行えないという問題もあった。
【０００９】
本発明はこれらの問題を解決するために、カメラ付携帯電話機やＰＤＡ等に備わる画像表示装置において、従来のようにＣＰＵが自然画像データの転送処理を行うことなく、自然画像データと人工画像データの２種類の画像データを効率良く画像表示手段に転送できるようにした画像表示装置及び当該装置に関する諸技術を提供することを目的とする。
【課題を解決するための手段】
【００１０】
上記目的を達成するため、本発明に係る画像表示装置は、第１画像データを生成する第１生成手段と、第２画像データを生成する第２生成手段と、生成された第１画像データ及び第２画像データを合成して表示する画像表示手段とを備える画像表示装置であって、前記第１生成手段は、前記第１画像データの一部である、１画面分のデータサイズより小さい所定サイズの部分データを生成すると共に当該部分データを逐次、間欠的に前記画像表示手段宛てに送り出し、前記第１生成手段から逐次送り出されてくる部分データを逐次受けて、前記画像表示手段に転送しつつ、当該部分データを転送していない時間に、前記第２生成手段により生成された第２画像データを受けて、当該画像表示手段に転送する転送調停手段を備えることを特徴とする。
【００１１】
また、本発明に係る画像データ転送方法は、第１画像データを生成する第１生成手段と、第２画像データを生成する第２生成手段と、生成された第１画像データ及び第２画像データを合成して表示する画像表示手段とを備えた画像表示装置に用いられる画像データ転送方法であって、前記第１生成手段は、前記第１画像データの一部である、１画面分のデータサイズより小さい所定サイズの部分データを生成すると共に当該部分データを逐次、間欠的に前記画像表示手段宛てに送り出すステップと、前記第１生成手段から逐次送り出されてくる部分データを逐次受けて、前記画像表示手段に転送しつつ、当該部分データを転送していない時間に、前記第２生成手段により生成された第２画像データを受けて、当該画像表示手段に転送するステップとを含むことを特徴とする。
【発明の効果】
【００１２】
上記構成により、従来ＣＰＵが自然画像データの転送処理を行うことで低速になっていた画像データの転送を高速にすることができる。さらにＣＰＵは別の処理を行うことができるようになる。
また、前記第１生成手段は、生成した前記部分データを格納する、所定サイズのバッファと、前記バッファに部分前記データが格納され次第、当該部分データを、当該バッファへのデータの入力速度より速い速度で、前記画像表示手段宛てに送り出す制御を行うバッファ制御手段とを備えるとしてもよい。
【００１３】
従来ＣＰＵによる自然画像データの転送速度は、他の処理と並行して行っていたため、撮像手段による自然画像データの生成速度に比較して低速になることが多く、そのため、撮像手段には最低限１画面分の自然画像データを蓄えることができるメモリを備える必要があり、低コスト化のネックとなっていたが、本発明の構成により、従来必要だった１画面分の容量より少ないメモリ（バッファ）を使用して画像データの転送を調停することができ、装置の小型が実現できる。
【００１４】
また、前記転送調停手段は、前記第１生成手段から前記画像表示手段に前記部分データの転送を行っているときに、前記第２画像データ生成手段から第２画像データの転送が要求された場合、当該第２画像データ生成手段に転送を待たせる指示を示すウェイト信号を出力する、としてもよいし、更に、ウェイト信号と共に、前記部分データの転送が頻繁に行われる期間と殆ど行われない期間を指示する転送頻度信号を出力するとしてもよい。
【００１５】
この構成により、第２画像データの転送を第１画像データの転送の頻度が少ない時間に行うことができ、データ転送処理の効率化が図れる。
また、前記第１画像データ生成手段は、第１画像データの生成速度を調節する第１画像データ生成速度調節手段を備えるとしてもよい。
第１画像データの生成速度を調節することにより、画像表示手段に対する画像データの最大転送速度が変動する場合でも、最適な速度で転送を行うことができる。
【００１６】
また、前記転送調停手段は、前記第１画像データ生成手段から出力された第１画像データと前記第２画像データ生成手段から出力された第２画像データの転送の調停を行う調停手段と、前記第１前記画像表示手段への画像データの転送方法を切り替えるプロトコル設定手段とを備えるとしてもよい。
プロトコル設定手段により、画像データ転送方法が異なる複数の画像表示手段に対して画像データの転送を行うことができる。
【００１７】
また、前記画像表示手段は、前記転送調停生成手段に対して、前記第１画像データ及び前記第２画像データの転送を一時停止することを指示するウェイト信号を出力し、前記転送調停手段は、前記ウェイト信号に基づいて、前記画像表示手段への前記第１画像データ及び前記第２画像データの転送を一時停止するデータ転送制御手段と、前記画像表示手段へのデータの転送速度を監視するデータ転送速度計測手段とを備え、前記第１画像データ生成速度調節手段は、前記データ転送速度計測手段からの信号に基づいて、第１画像データ生成速度を調節するとしてもよい。
【００１８】
この構成により、画像表示手段への画像データの転送速度が動的に変動する場合においても対応できる。
また、前記第１画像データ生成手段は、レンズを介して結像された光学像を電気信号に変換するイメージセンサと、イメージセンサを駆動するイメージセンサ駆動部と、イメージセンサの信号を処理して第１画像データを生成する画像処理部とを備えるとしてもよい。
【００１９】
すなわち、第１画像データ生成手段は、いわゆる撮像手段として実現させてもよい。
また、前記画像表示手段は、所定の命令を受けることにより所定の画像を自動的に生成する画像生成手段を備えるとしてもよい。
また、前記第２画像データ生成手段は、生成した前記第２画像データを前記画像表示手段に転送する転送手段と、前記画像表示手段に所定の画像を生成させるための命令を発行する発行手段を備えるとしてもよい。
【００２０】
また、前記第１画像データ生成手段と前記転送調停手段を１つの半導体チップで形成したことを特徴とするとしてもよい。
また、前記第１画像データは、静止画又は動画である自然画像データであり、前記第２画像データは、文字データ又は図形データである人工画像データであり、前記画像表示手段は自然画像データと人工画像データを合成する合成手段を備えるとしてもよい。
【発明を実施するための最良の形態】
【００２１】
以下、本発明の実施の形態について、図面を用いて説明する。
＜実施の形態＞
＜構成＞
図１は、本発明の実施の形態に係る画像表示装置の機能構成を示す図である。
画像表示装置１は、自然画像データ生成手段１０１、人工画像データ生成手段１０２、画像データ転送調停手段１０３、及び画像表示手段１０４等の機能部を備える。
【００２２】
画像表示装置１は、ＣＰＵ、入力装置、出力装置、記憶装置等のハードウェアを備えたコンピュータである。記憶装置に記憶されている制御プログラムをＣＰＵが実行することにより、各機能の制御を実現している。
自然画像データ生成手段１０１は、撮影又は記録媒体からの読み出し等により写真やビデオ映像等の自然画像を獲得する機能を有する。カメラやメモリカード読み取り装置等のハードウェアが、この機能を実現する。
【００２３】
人工画像データ生成手段１０２は、文字・図形等の人工的な画像データを生成する機能を有する。ＣＰＵがこの機能を実行する。
画像データ転送調停手段１０３は、自然画像データ生成手段１０１から出力される自然画像データと人工画像データ生成手段１０２から出力される人工画像データとを調停し画像表示手段１０４に転送する機能を有する。ＣＰＵとは別のデータ転送調停専用ハードウェアが、この機能を実現する。
【００２４】
画像表示手段１０４は、前記画像データ転送調停手段１０３により転送された自然画像データ及び人工画像データを受けて画面に画像の表示を行う機能を有する。液晶ディスプレイ及び画像表示制御回路によりこの機能を実現する。
画像データ転送調停手段１０３により、自然画像データと人工画像データを調停して画像表示手段１０４に転送することができるため、自然画像データを高速に転送することができる。また人工画像データ生成手段１０２は通常ＣＰＵで実現されるが、自然画像データの転送を行う必要が無くなるので別の処理を行うことができる。
【００２５】
次に、自然画像データ生成手段１０１の構成及び画像データ転送調停手段１０３と人工画像データ生成手段１０２の間の制御信号について説明する。
図２に示す自然画像データ生成手段１０１は、自然画像データ生成部３０１、データバッファ３０２、及びデータバッファ制御部３０３を備える。
自然画像データ生成部３０１は、自然画像データを生成する機能を有する。
【００２６】
データバッファ３０２は、自然画像データの一部を記憶することが可能な所定サイズのメモリである。
データバッファ制御部３０３は、自然画像生成部３０１から出力された自然画像データ３０４をデータバッファ３０２に書き込む共に、書き込まれた自然画像データを書き込みの時の速度より速い速度で読み出す制御を行う機能を有する。
【００２７】
これにより画像データ転送調停手段１０３に入力される自然画像データ３０５は間欠的となり、転送されていない期間は人工画像データ３０６の転送を行うことができる。
転送要求信号５０１は、人工画像データ生成手段１０２が画像データ転送調停手段１０３に人工画像データの転送を要求する信号である。
ウェイト信号５０２は、画像データ転送調停手段１０３が自然画像データの転送中に人工画像データ生成手段１０２から人工画像データの転送要求があった場合、人工画像データ生成手段に転送を待ってもらうための信号である。
【００２８】
＜動作＞
次に画像データの転送調停方法について説明する。
図３は本発明に係る画像データの転送調停方法を示したフローチャートである。
まず、ステップＳ０１において自然画像データ生成手段１０２は、自然画像データを生成し、ステップＳ０２において自然画像データを分割する。
【００２９】
ステップＳ０３において分割された自然画像データの一つを画像表示手段１０４へ転送する。
ステップＳ０４において画像データ転送調停手段１０３は、１画面分の転送が完了したかどうかを判定する。
１画面分の転送が完了すると（ステップＳ０４：ＹＥＳ）処理は終了となる。１画面分の転送がまだ完了していない場合は（ステップＳ０４：ＮＯ）、ステップＳ０５に進み、画像データ転送調停手段１０３は、人工画像データ生成手段１０２に対して人工画像データの入力を許可する。
【００３０】
続いてステップＳ０６において、画像データ転送調停手段１０３は、人工画像データ生成手段１０２から人工画像データが入力されたかどうかを確認する。
人工画像データが入力された場合（ステップＳ０６：ＹＥＳ）、ステップＳ０７に進み、人工画像データを画像表示手段１０４へ転送する。
人工画像データが入力されていない場合（ステップＳ０６：ＮＯ）、ステップＳ０８に進む。
【００３１】
続いてステップＳ０８において、画像データ転送調停手段１０３は、分割された自然画像データのうち、次に転送予定のデータを転送開始する時刻に達したかどうかを判定する。次のデータの転送開始時刻に達した場合（ステップＳ０８：ＹＥＳ）、ステップＳ０３に戻り、次のデータを転送する。
次のデータの転送開始時刻に達していない場合（ステップＳ０８：ＮＯ）、ステップＳ０６に戻り、人工画像データ生成手段１０２から人工画像データが入力されたかどうかを確認する。
【００３２】
これにより自然画像データは確実に所定の時間内に転送を完了することができる。
また、画像データ転送調停手段１０３に入力される自然画像データ３０５は間欠的に送られてくるが、その様子をタイムチャートで示したのが図４である。
時刻ｔ０から時刻ｔ１の期間に自然画像データ１がデータバッファ３０２に入力される。この自然画像データ１は、前述の分割された自然画像データの１つに相当する。
【００３３】
次に時刻ｔ１から時刻ｔ３の間にデータバッファ３０２から自然画像データ１が読み出される。このとき、書き込み時より速い速度で読み出して時刻ｔ３までには自然画像データ１の転送が終了するので、時刻ｔ３から時刻ｔ７までの間に人工画像データの転送が可能となる。
時刻ｔ２において人工画像データ生成手段１０２から転送要求信号５０１が有効になったとする。ここでは信号レベルがＬｏｗ時を有効としている。
【００３４】
画像データ転送調停手段１０３は、時刻ｔ２の時点では自然画像データの転送を行っており、人工画像データの転送を受け付けることができない。したがってウェイト信号５０２を有効とする（Ｌｏｗレベルを有効とする）。
人工画像データ生成手段１０２はウェイト信号５０２が有効となったため、人工画像データの転送を行わず、ウェイト信号５０２が解除されるのを待つ。
【００３５】
時刻ｔ３において自然画像データ１の読み出しが完了したため、画像データ転送調停手段１０３はウェイト信号をＨｉｇｈレベル、すなわち無効にする。
ウェイト信号５０２の無効を受けた人工画像データ生成手段１０２は、人工画像データの転送を開始し、時刻ｔ４において人工画像データの転送が完了する。
また時刻ｔ５において人工画像データ生成手段１０２は再び人工画像の転送を要求するが、この時、画像データ転送調停手段１０３は、自然画像データの転送を行っていないので、人工画像データは即時に転送される。
【００３６】
以下に、実施の形態で説明した画像表示装置１に改良を施した各変形例について説明する。
＜変形例１＞
図５は、変形例１の画像表示装置の機能構成図である。
図５に示す画像表示装置１Ａが、図２に示す画像表示装置１と異なる点は、画像データ転送調停手段１０３Ａから人工画像データ生成手段１０２Ａに、転送頻度信号７０１が送信される点である。
【００３７】
自然画像データ生成手段１０１から画像データ転送調停手段１０３Ａへの自然画像データの出力は、常に行われているわけではなく、転送頻度が高い期間と低い（もしくは無い）期間が存在する。
例えば、自然画像データがビデオ映像である場合、複数のビデオ画像の間には垂直帰線期間という期間があり、その間は、画像信号の出力はない。
【００３８】
したがって、画像データ転送調停手段１０３Ａが自然画像データの転送頻度を示す転送頻度信号を人工画像データ生成手段１０２Ａに送ることにより、人工画像データ生成手段１０２Ａは、自然画像データ転送の頻度の少ない期間に人工画像データの転送を行うようにして、ウェイト信号により待たされる確率を減らして、他の処理を行う時間を増やすことができる。
【００３９】
＜変形例２＞
図６は、変形例２の画像表示装置の機能構成図である。
図６に示す画像表示装置１Ｂが、図２に示す画像表示装置１と異なる点は、自然画像データ生成手段１０１Ｂに、自然画像データの生成速度を設定する自然画像生成速度調節部８０１を備えた点である。
【００４０】
これにより自然画像データの生成速度を変更することができる。画像表示手段１０４が表示する画面のサイズによって必要とされる最大転送速度は異なってくるので、画像表示手段１０４が表示する画面サイズに応じて自然画像データの生成速度を変更することにより最適な速度で自然画像データの転送を行うことができる。
＜変形例３＞
図７は、変形例３の画像表示装置の機能構成図である。
【００４１】
図７に示す画像表示装置１Ｃが、図２に示す画像表示装置１と異なる点は、画像データ転送調停手段１０３Ｃに、データ転送調停部９０１、データ転送制御部９０２が備わり、データ転送制御部９０２には、プロトコル設定部９０３が含まれる点である。
データ転送調停部９０１は、自然画像データの転送と人工画像データの転送の調停を行う機能を有する。
【００４２】
データ転送制御部９０２は、内部のプロトコル設定部９０３による転送方法の設定に応じてデータ転送制御を行う。
プロトコル設定部９０３は、画像表示手段１０４の種類に応じて複数の転送方法の中からいずれかの転送方法を選択して設定する機能を有する。
基本的に画像表示装置に備わる画像表示手段は、ＣＰＵと接続する設計となっているものが殆どである。
【００４３】
しかしＣＰＵのインターフェース仕様は多種類あり、画像表示手段１０４もそのうちの一部にのみ対応している場合も多い。
具体的にはアドレスとデータの多重また分離方式の違いや、イネーブル信号とデータのタイミング仕様の違い等である。
プロトコル設定部９０３を備えることにより、これらのプロトコルの違いを吸収することができ、多くの画像表示手段と接続できる。
【００４４】
＜変形例４＞
図８は、変形例４の画像表示装置の機能構成図である。
図８に示す画像表示装置１Ｄが、図２に示す画像表示装置１と異なる点は、自然画像データ生成手段１０１Ｄが、自然画像生成速度調節部１００２を備えた点と、画像データ転送調停手段１０３Ｄに、データ転送調停部９０１、データ転送制御部９０２が備わり、データ転送制御部９０２には、転送速度計測部１００１が含まれる点と、画像表示手段１０４Ｄからデータ転送制御手段９０２にウェイト信号が送信される点である。
【００４５】
画像表示手段１０４Ｄは、内部で何らかの処理を行う等により、常にデータ転送を受け付けることができない場合、ウェイト信号をデータ転送制御部９０２に送信して画像データの転送を待たせる。例えば、内部に所定の画像を描く機能を持っており、画像の描画を行っている場合等である。
データ転送調停部９０１は、自然画像データの転送と人工画像データの転送の調停を行う機能を有する。
【００４６】
データ転送制御部９０２は、画像表示手段１０４Ｄからウェイト信号を受けると、データ転送を停止する制御を行う。
データ転送速度計測部１００１は、画像データの転送速度を計測する機能を有する。計測されたデータ転送速度は、データ転送速度情報として、自然画像生成速度調節部１００２に通知される。
【００４７】
自然画像生成速度調節部１００２は、データ転送速度計測部１００１で計測されたデータ転送速度情報に基づき自然画像データの生成速度を調節する機能を有する。
これにより、動的に転送速度が変わる場合においても、データバッファ３０２にオーバーフローが発生するのを防ぐことができる。
＜変形例５＞
図９は、変形例５の画像表示装置の機能構成図である。
【００４８】
図９に示す画像表示装置１Ｅが、図２に示す画像表示装置１と異なる点は、自然画像データ生成手段１０１が、撮像手段１１００に代わった点である。
撮像手段１１００は、光学像を結像するレンズ１１０１と、光学像を電気信号に変換するイメージセンサ１１０２と、イメージセンサを駆動するイメージセンサ駆動部１１０３と、イメージセンサの出力信号を処理し所定のフォーマットの画像を生成する画像処理部１１０４と、データバッファ３０２とデータバッファ制御部３０３より構成されている。
＜変形例６＞
図１０は、変形例６の画像表示装置の機能構成図である。
【００４９】
図１０に示す画像表示装置１Ｆは、図９に示す画像表示装置１Ｅの変形例であり、異なる点は、データ転送制御部９０２に転送速度計測部１００１が備わっている点である。
画像表示手段１０４Ｆがウェイト信号をデータ転送制御部９０２に送信して画像データの転送を待たせることにより、画像データの転送速度が変動する。
そこで、イメージセンサ駆動部１１０３に画像データの転送速度を通知して、当該転送速度に基づいて自然画像データの生成速度を調節するようにする。
【００５０】
これにより、動的に転送速度が変わる場合においても、データバッファ３０２にオーバーフローが発生するのを防ぐことができる。
＜変形例７＞
図１１は、変形例７の画像表示装置の機能構成図である。
図１１に示す画像表示装置１Ｇは、図１０に示す変形例６の画像表示装置１Ｆの撮像手段１１００Ｆと画像データ転送調停手段１０３Ｆを一つの半導体チップである撮像手段１３００で構成したものである。
【００５１】
これにより、画像表示装置の小型化が図れる。但し、人工画像データ生成手段と画像表示手段は別の半導体チップ等で実現される方が望ましい。なぜなら、製品の仕様により多種類の組み合わせが実現できた方が良いからである。
【産業上の利用可能性】
【００５２】
本発明は、携帯電話機やＰＤＡ等に搭載された、２つの異なる画像データを合成して表示する画像表示装置に適用できる。
【図面の簡単な説明】
【００５３】
【図１】実施の形態に係る画像表示装置の機能構成を示す図である。
【図２】実施の形態に係る画像表示装置の機能構成を示す図である。
【図３】本発明に係る画像データの転送調停方法を示したフローチャートである。
【図４】画像データの転送を示したタイミングチャート図である。
【図５】変形例１の画像表示装置の機能構成図である。
【図６】変形例２の画像表示装置の機能構成図である。
【図７】変形例３の画像表示装置の機能構成図である。
【図８】変形例４の画像表示装置の機能構成図である。
【図９】変形例５の画像表示装置の機能構成図である。
【図１０】変形例６の画像表示装置の機能構成図である。
【図１１】変形例７の画像表示装置の機能構成図である。
【図１２】従来の表示システムの機能構成を示す図である。
【符号の説明】
【００５４】
１、１Ａ、１Ｂ、１Ｃ、１Ｄ、１Ｅ、１Ｆ、１Ｇ  画像表示装置
１０１、１０１Ｂ、１０１Ｄ、  自然画像データ生成手段
１０２、１０２Ａ  人工画像データ生成手段
１０３、１０３Ａ、１０３Ｃ、１０３Ｄ、１０３Ｆ  画像データ転送調停手段
１０４、１０４Ｄ  画像表示手段
３０１  自然画像データ生成部
３０２  データバッファ
３０３  データバッファ制御部
３０４  データバッファ入力自然画像データ
３０５  データバッファ出力自然画像データ
３０６  人工画像データ
５０１  人工画像データ転送要求信号
５０２  人工画像データ転送ウェイト信号
７０１  自然画像データ転送頻度信号
８０１  自然画像データ生成速度調節部
９０１  データ転送調停部
９０２  データ転送制御部
９０３  プロトコル設定部
１００１  転送速度計測部
１００２  自然画像データ生成速度調節部
１１０１  レンズ
１１０２  イメージセンサ
１１０３  イメージセンサ駆動部
１１０４  画像処理部
【図１】
2005167350.tif 000003
【図２】
2005167350.tif 000004
【図３】
2005167350.tif 000005
【図４】
2005167350.tif 000006
【図５】
2005167350.tif 000007
【図６】
2005167350.tif 000008
【図７】
2005167350.tif 000009
【図８】
2005167350.tif 000010
【図９】
2005167350.tif 000011
【図１０】
2005167350.tif 000012
【図１１】
2005167350.tif 000013
【図１２】
2005167350.tif 000014